(57)【要約】      （修正有）【課題】エレベータにおいて利用者が行う乗場呼びを監視することが可能な制御システムを提供する。【解決手段】制御システムは、エレベータを制御する制御装置と、利用者の識別情報を読み取る読取装置１Ａ、１Ｂと、読取装置１Ａ、１Ｂで読み取られた識別情報に対応する管理情報を中継して制御装置に送信する中継装置１０３と、を備える。そして、制御装置は、中継装置１０３から管理情報を受信した場合に、管理情報を対象として呼び登録を行う。【選択図】図１
2020158275.tif 000002
【特許請求の範囲】
【請求項１】
エレベータを制御する制御装置と、
利用者の識別情報を読み取る読取装置と、
前記読取装置で読み取られた前記識別情報に対応する管理情報を中継して前記制御装置に送信する中継装置と、
を備え、
前記制御装置は、前記中継装置から前記管理情報を受信した場合に、当該管理情報を対象として呼び登録を行う、エレベータの制御システム。
【請求項２】
前記読取装置の１つである第１読取装置を有する登録装置
を更に備え、
前記中継装置は、前記第１読取装置で前記識別情報が読み取られた場合に、当該識別情報に対応する前記管理情報を前記登録装置にも送信し、
前記登録装置は、前記中継装置から前記管理情報を受信した場合に利用人数の入力を可能にすると共に、入力された前記利用人数を、前記中継装置から受信した前記管理情報と共に前記制御装置に送信し、
前記制御装置は、前記中継装置から受信した前記管理情報と同じ管理情報を前記登録装置からも受信した場合、その管理情報と共に前記登録装置から送信されてくる前記利用人数を用いて前記呼び登録を行う、請求項１に記載のエレベータの制御システム。
【請求項３】
前記制御装置は、前記呼び登録に関連した情報を、その呼び登録の対象である前記管理情報と共にブロードキャストで配信する、請求項２に記載のエレベータの制御システム。
【請求項４】
乗場への進入を規制する規制装置が設置されているエレベータに適用された、請求項２又は３に記載の制御システムであって、
前記規制装置は、前記読取装置の１つである第２読取装置を有し、
前記中継装置は、前記第１読取装置及び前記第２読取装置の何れか一方で前記識別情報が読み取られた場合に、当該識別情報に対応する前記管理情報を、その識別情報が前記第１読取装置及び前記第２読取装置のどちらで読み取られたのかを示す属性情報と共に前記制御装置に送信する、エレベータの制御システム。
【請求項５】
前記制御装置は、前記管理情報ごとに行先階が対応付けられた行先階管理データを有し、
前記制御装置は、前記中継装置から前記管理情報を受信した場合に、その管理情報に対応付けられている前記行先階を前記行先階管理データから読み出し、読み出した前記行先階を用いて前記呼び登録を行う、請求項１〜４の何れかに記載のエレベータの制御システム。
【発明の詳細な説明】
【技術分野】
【０００１】
本発明は、利用者の識別情報に基づいて呼び登録を行うことが可能なエレベータの制御技術に関する。
【背景技術】
【０００２】
エレベータの制御技術には、乗場に設けられた行先階登録装置によって利用者からの乗場呼びを受け付け、その乗場呼びを、輸送効率やセキュリティを考慮して何れか１つの乗りかごに割り当てることで呼び登録を行うものが存在する。この様な制御技術では、通常、利用者ごとに呼び登録が行われる。従って、複数の利用者がグループで行動したい場合でも、エレベータを利用する際には個々に乗りかごが割り当てられてしまうため、それらの利用者は、必ずしも同じ乗りかごに乗車できるとは限らず、エレベータでの移動先（行先階）までは個別に行動しなければならない場合があった。このため、グループで行動する利用者にとっては不便であった。
【０００３】
そこで、行先階登録装置において利用人数の入力を可能にし、当該行先階登録装置で入力された利用人数を乗場呼びと共に受け付けた場合に、その利用人数を用いて呼び登録を行う技術が提案されている（例えば、特許文献１参照）。
【先行技術文献】
【特許文献】
【０００４】
【特許文献１】特許第５０８７２８１号
【発明の概要】
【発明が解決しようとする課題】
【０００５】
しかし、行先階登録装置において利用人数の入力を可能にした場合、悪意のある利用者が、乗場呼びを行う際に実際の利用人数よりも多い人数を入力する虞がある。不必要に多い人数で呼び登録が行われると、呼び登録された人数よりも実際には少ない人数でエレベータを運行しなければならず、エレベータの運行効率が低下してしまう。
【０００６】
そこで本発明の目的は、エレベータにおいて利用者が行う乗場呼びを監視することが可能な制御システムを提供することである。
【課題を解決するための手段】
【０００７】
本発明に係る制御システムは、エレベータを制御する制御装置と、利用者の識別情報を読み取る読取装置と、当該読取装置で読み取られた識別情報に対応する管理情報を中継して制御装置に送信する中継装置と、を備える。そして、制御装置は、中継装置から管理情報を受信した場合に、当該管理情報を対象として呼び登録を行う。
【０００８】
上記制御システムによれば、制御装置は、利用者の乗場呼びごとに行う呼び登録の履歴を管理情報に紐付けて管理することが可能になる。
【０００９】
上記制御システムは、上記読取装置の１つである第１読取装置を有する登録装置を更に備えていてもよい。この構成において、中継装置は、第１読取装置で識別情報が読み取られた場合に、当該識別情報に対応する管理情報を登録装置にも送信してもよい。また、登録装置は、中継装置から管理情報を受信した場合に利用人数の入力を可能にすると共に、入力された利用人数を、中継装置から受信した管理情報と共に制御装置に送信してもよい。更に、制御装置は、中継装置から受信した管理情報と同じ管理情報を登録装置からも受信した場合、その管理情報と共に登録装置から送信されてくる利用人数を用いて呼び登録を行ってもよい。この構成によれば、制御装置は、登録装置で入力された利用人数を呼び登録に反映させることが可能になる。
【００１０】
上記制御システムにおいて、制御装置は、呼び登録に関連した情報を、その呼び登録の対象である管理情報と共にブロードキャストで配信してもよい。この構成によれば、管理情報を手掛かりとして、呼び登録に関連する上記情報が必要な装置にだけ当該情報を取得させることが可能になる。
【００１１】
上記制御システムは、乗場への進入を規制する規制装置が設置されているエレベータに適用されてもよい。この構成において、規制装置は、読取装置の１つである第２読取装置を有していてもよい。また、中継装置は、第１読取装置及び第２読取装置の何れか一方で識別情報が読み取られた場合に、当該識別情報に対応する管理情報を、その識別情報が第１読取装置及び第２読取装置のどちらで読み取られたのかを示す属性情報と共に制御装置に送信してもよい。
【００１２】
上記構成によれば、制御装置は、管理情報を対象として呼び登録を行う際に、その管理情報に対応している識別情報を読み取った装置の種類（即ち、規制装置又は登録装置のどちらの種類であるのか）を属性情報から特定できる。そして、利用人数の情報が規制装置から送信されることがない場合において、属性情報が規制装置に対応していた場合には、制御装置は、そのことを以て、呼び登録の実行前に利用人数を受信する必要はないと判断できる。よって、利用者による規制装置の通過が許可された場合には、即座に制御装置に呼び登録を実行させることができる。
【００１３】
上記制御システムにおいて、制御装置は、管理情報ごとに行先階が対応付けられた行先階管理データを有していてもよい。また、制御装置は、中継装置から管理情報を受信した場合に、その管理情報に対応付けられている行先階を行先階管理データから読み出し、読み出した行先階を用いて呼び登録を行ってもよい。このように行先階の情報を制御装置に持たせることにより、中継装置から制御装置へ送信するデータ量が少なくなり、処理速度の高速化を図ることが可能になる。
【発明の効果】
【００１４】
本発明によれば、エレベータにおいて利用者が行う乗場呼びを監視することが可能になる。
【図面の簡単な説明】
【００１５】
【図１】実施形態に係る制御システムが適用されたエレベータの全体構成を示した概念図である。
【図２】各階におけるエレベータの乗場の構成を示した概念図である。
【図３】セキュリティサーバで実行される認証処理を示したフローチャートである。
【図４】実施形態で用いられる（Ａ）装置管理データの一例及び（Ｂ）媒体管理データの一例をそれぞれ示した概念図である。
【図５】実施形態で用いられる設置階管理データの一例を示した概念図である。
【図６】実施形態で用いられる（Ａ）行先階管理データの一例及び（Ｂ）履歴管理データの一例をそれぞれ示した概念図である。
【図７】実施形態で実行される中継処理を示したフローチャートである。
【図８】実施形態で実行される行先階登録処理を示したフローチャートである。
【図９】人数入力画面の一例を示した概念図である。
【図１０】実施形態で実行される呼び登録処理を示したフローチャートである。
【図１１】第４変形例で用いられる属性管理データの一例を示した概念図である。
【図１２】第４変形例で実行される中継処理を示したフローチャートである。
【図１３】第４変形例で実行される行先階登録処理を示したフローチャートである。
【図１４】第４変形例で実行される呼び登録処理を示したフローチャートである。
【発明を実施するための形態】
【００１６】
［１］エレベータ及びその制御システムの構成
図１は、実施形態に係る制御システムが適用されたエレベータの全体構成を示した概念図である。また、図２は、各階におけるエレベータの乗場Ｈの構成を示した概念図である。本実施形態では、エレベータは、３つの乗りかご１００と、建物の特定階（ロビー階など）に設けられた２つの規制装置１０１Ａと、各階の乗場Ｈに設置された行先階登録装置１０１Ｂと、セキュリティサーバ１０２と、中継装置１０３と、エレベータ制御装置１０４と、群管理制御装置１０５と、を備える。また、規制装置１０１Ａ及び行先階登録装置１０１Ｂには、それらを識別するための装置情報Ｐｄが設定されている。
【００１７】
そして本実施形態では、エレベータの制御システムが、各階の乗場Ｈに設置された行先階登録装置１０１Ｂと、中継装置１０３と、エレベータ制御装置１０４と、群管理制御装置１０５と、で構成されている。尚、以下に説明する本実施形態の制御システムの各部構成は、３つに限定されない複数の乗りかご１００を備えたエレベータや、２つに限定されない数（１つを含む）の規制装置１０１Ａを備えたエレベータなどにも適用できる。
【００１８】
＜規制装置＞
規制装置１０１Ａは、セキュリティゲートなど、特定階においてエレベータの乗場Ｈへの進入を規制する装置であり、利用者が所持する記録媒体Ｑ（ＩＣカードや磁気カードなど）から情報を読み取る読取装置１Ａと、利用者が乗車すべき乗りかご１００の情報などを表示する表示装置２Ａと、を有する。ここで、記録媒体Ｑには、それを所持する利用者の識別情報Ｐｉ（記録媒体Ｑを識別する固有の情報。固有ＩＤなど）が記録されており、読取装置１Ａは、記録媒体Ｑから識別情報Ｐｉを読み取る。
【００１９】
読取装置１Ａによる記録媒体Ｑの読取り方法は、接触式のものであってもよいし、ＮＦＣ（Near  Field  Communication）等の近距離通信で情報を読み取る非接触式のものであってもよく、特に限定されるものではない。又、記録媒体Ｑは、カード状のものに限らず、スティック状やチップ状のものであってもよい。更に、読取装置１Ａとの近距離通信（ＮＦＣ等）が可能なスマートフォン等の携帯情報端末が、記録媒体Ｑとして用いられてもよい。
【００２０】
規制装置１０１Ａは、読取装置１Ａが識別情報Ｐｉを読み取った場合に、その識別情報Ｐｉを、当該規制装置１０１Ａの装置情報Ｐｄと共にセキュリティサーバ１０２に送信する（図１参照）。尚、規制装置１０１Ａは、装置情報Ｐｄとして、識別情報Ｐｉを読み取った読取装置１Ａの装置情報をセキュリティサーバ１０２に送信してもよい。
【００２１】
そして、識別情報Ｐｉの認証（認証処理）がセキュリティサーバ１０２で実行され、当該認証が成功した場合には、規制装置１０１Ａの通過が利用者に対して許可される。即ち、利用者による規制装置１０１Ａの通過を許可するか否かの判断が、当該利用者の識別情報Ｐｉに基づいて行われる。
【００２２】
また、セキュリティサーバ１０２での識別情報Ｐｉの認証が成功した場合、当該識別情報Ｐｉに１対１で対応する管理情報Ｐｊ（例えば、ＩＣカードに付される通し番号のようなもの）が、セキュリティサーバ１０２から中継装置１０３を介して群管理制御装置１０５に送信される（中継処理）。そして、その管理情報Ｐｊを対象とした呼び登録（呼び登録処理）が、群管理制御装置１０５によって実行される（呼び登録処理）。具体的には、群管理制御装置１０５は、呼び登録に必要な情報（管理情報Ｐｊに対応した行先階Ｆｄなどの情報）を１つの乗場呼びとして、その乗場呼びを、エレベータの輸送効率等を考慮して複数の乗りかご１００のどれか１つに割り当てる。
【００２３】
＜行先階登録装置＞
行先階登録装置１０１Ｂは、特定階においてエレベータの乗場Ｈに設置された行先階登録装置１０１Ｂｐと、特定階以外の各階（他の階）においてエレベータの乗場Ｈに設置された行先階登録装置１０１Ｂｑと、を含む。本実施形態では、行先階登録装置１０１Ｂｐは、利用者が、規制装置１０１Ａの通過時に割り当てられた乗りかご１００に乗り遅れて乗場呼びを再度行う場合や、行先階を別の階（その利用者に許可されている別の行先階）に変更する場合などに用いられる。また、行先階登録装置１０１Ｂｑは、特定階以外の各階から利用者が乗場呼びを行う場合や、乗場呼びを行う際に利用人数Ｎｒなどを入力する場合に用いられる。
【００２４】
行先階登録装置１０１Ｂ（１０１Ｂｐ及び１０１Ｂｑ）は何れも、利用者が所持する記録媒体Ｑから情報を読み取る読取装置１Ｂと、操作機能付きの表示装置２Ｂと、を有する。本実施形態では、表示装置２Ｂは、タッチパネル付きの表示パネルである。尚、表示装置２Ｂは、ボタンで選択操作などを行う機能を備えたものであってもよい。また、読取装置１Ｂによる記録媒体Ｑの読取り方法は、上述した読取装置１Ａと同様である。
【００２５】
行先階登録装置１０１Ｂは、読取装置１Ｂが識別情報Ｐｉを読み取った場合に、その識別情報Ｐｉを、当該行先階登録装置１０１Ｂの装置情報Ｐｄと共にセキュリティサーバ１０２に送信する（図１参照）。尚、行先階登録装置１０１Ｂは、装置情報Ｐｄとして、識別情報Ｐｉを読み取った読取装置１Ｂの装置情報をセキュリティサーバ１０２に送信してもよい。
【００２６】
そして、識別情報Ｐｉの認証（認証処理）がセキュリティサーバ１０２で実行され、当該認証が成功した場合、行先階登録装置１０１Ｂは、利用者による行先階の変更や利用人数の入力などの操作を可能にし、当該操作で入力された情報を群管理制御装置１０５に送信する（行先階登録処理）。
【００２７】
このような行先階登録処理を行うための処理部は、行先階登録装置１０１Ｂ内に回路を構築することによってハードウェアで構成されてもよいし、行先階登録装置１０１Ｂが備えるＣＰＵ（Central  Processing  Unit）等の処理装置にプログラムを実行させることによってソフトウェアで構成されてもよい。そして、そのようなプログラムは、携帯可能な記憶装置（例えば、フラッシュメモリ等）に読取可能な状態で記憶されてもよいし、他のサーバなどにダウンロード可能に保存され、ダウンロードされたものが行先階登録装置１０１Ｂの記憶部（不図示）に記憶されてもよい。尚、行先階登録装置１０１Ｂｑが実行する行先階登録処理の詳細については後述する。
【００２８】
＜セキュリティサーバ＞
セキュリティサーバ１０２は、規制装置１０１Ａ及び行先階登録装置１０１Ｂから送信されてくる識別情報Ｐｉの認証を行い、認証に成功した場合にのみ規制装置１０１Ａの通過や行先階登録装置１０１Ｂの操作を利用者に対して許可することにより、高いセキュリティを維持する（認証処理）。以下、認証処理の詳細について説明する。
【００２９】
図３は、セキュリティサーバ１０２で実行される認証処理を示したフローチャートである。認証処理は、セキュリティサーバ１０２が規制装置１０１Ａ又は行先階登録装置１０１Ｂから識別情報Ｐｉを受信した場合に開始される。認証処理が開始されると、セキュリティサーバ１０２は、受信した識別情報Ｐｉの認証を行う（図３のステップＳ１０１）。
【００３０】
セキュリティサーバ１０２は、ステップＳ１０１にて識別情報Ｐｉの認証に成功した場合、その識別情報Ｐｉの送信元である装置（規制装置１０１Ａ又は行先階登録装置１０１Ｂ）に認証結果に応じた動作を実行させるために、当該送信元である装置を、識別情報Ｐｉと共に送信されてくる装置情報Ｐｄに基づいて特定する（図３のステップＳ１０２）。
【００３１】
具体的には、セキュリティサーバ１０２は、装置管理データＤ１を有する。図４（Ａ）は、本実施形態で用いられる装置管理データＤ１の一例を示した概念図である。装置管理データＤ１では、装置情報Ｐｄごとに、当該装置情報Ｐｄで識別される装置（規制装置１０１Ａ又は行先階登録装置１０１Ｂ）への情報送信に使用される装置アドレスＰａ（ＩＰアドレスなど）と、その装置の種類を特定するための属性情報Ｐｂ（即ち、規制装置１０１Ａ又は行先階登録装置１０１Ｂのどちらの種類であるのかを特定するための情報）が対応付けられている。図４（Ａ）では、属性情報Ｐｂとして、規制装置１０１Ａと行先階登録装置１０１Ｂとを区別するために、それぞれに対応させて「０」と「１」とが用いられている。
【００３２】
そして、セキュリティサーバ１０２は、受信した装置情報Ｐｄに対応する装置アドレスＰａ及び属性情報Ｐｂを装置管理データＤ１から読み出すことにより、識別情報Ｐｉの送信元である装置（規制装置１０１Ａ又は行先階登録装置１０１Ｂ）を特定する。このとき、属性情報Ｐｂは、識別情報Ｐｉが規制装置１０１Ａ（読取装置１Ａ）及び行先階登録装置１０１Ｂ（読取装置１Ｂ）のどちらで読み取られたのか（即ち、どの種類の装置で読み取られたのか）を示す情報として用いられる。
【００３３】
その後、セキュリティサーバ１０２は、ステップＳ１０２で装置管理データＤ１から読み出した属性情報Ｐｂが、規制装置１０１Ａに対応したもの（Ｐｂ＝０）であるのか、それとも行先階登録装置１０１Ｂに対応したもの（Ｐｂ＝１）であるのかを判断する（図３のステップＳ１０３）。
【００３４】
そして、セキュリティサーバ１０２は、ステップＳ１０３にて「規制装置１０１Ａに対応したもの（Ｐｂ＝０）である」と判断した場合には、ステップＳ１０２で装置管理データＤ１から読み出した装置アドレスＰａで特定される規制装置１０１Ａの動作を制御することにより、利用者の通過を許可する（図３のステップＳ１０４）。
【００３５】
その後、セキュリティサーバ１０２は、ステップＳ１０２で特定した装置の装置情報Ｐｄを中継装置１０３に送信する（図３のステップＳ１０５。図１参照）。このとき、セキュリティサーバ１０２は、認証に成功した識別情報Ｐｉに１対１で対応する管理情報Ｐｊも中継装置１０３に送信する（図３のステップＳ１０５）。具体的には、セキュリティサーバ１０２は、装置管理データＤ１に加えて媒体管理データＤ２を有する。図４（Ｂ）は、本実施形態で用いられる媒体管理データＤ２の一例を示した概念図である。媒体管理データＤ２では、記録媒体Ｑに記録されている識別情報Ｐｉが外部に漏洩することを防止するべく、識別情報Ｐｉのそれぞれに、それらに１対１で対応する管理情報Ｐｊ（例えば、ＩＣカードに付される通し番号のようなもの）が対応付けられている。そして、セキュリティサーバ１０２は、認証に成功した識別情報Ｐｉに対応する管理情報Ｐｊを、媒体管理データＤ２から読み出して中継装置１０３に送信する。そして、セキュリティサーバ１０２は、ステップＳ１０５の実行後、認証処理を終了する。
【００３６】
一方、セキュリティサーバ１０２は、ステップＳ１０３にて「行先階登録装置１０１Ｂに対応したもの（Ｐｂ＝１）である」と判断した場合には、ステップＳ１０５へ移行して、中継装置１０３への装置情報Ｐｄ及び管理情報Ｐｊの送信を行う。このとき、セキュリティサーバ１０２は、ステップＳ１０５へ移行する前に、認証結果に応じた動作（認証に成功した旨の通知など）を行先階登録装置１０１Ｂに実行させてもよい。そして、セキュリティサーバ１０２は、ステップＳ１０５の実行後、認証処理を終了する。
【００３７】
セキュリティサーバ１０２は、ステップＳ１０１にて識別情報Ｐｉの認証に失敗した場合にも、その識別情報Ｐｉの送信元である装置（規制装置１０１Ａ又は行先階登録装置１０１Ｂ）に認証結果に応じた動作を実行させるために、ステップＳ１０２と同様の方法で、当該送信元である装置を、識別情報Ｐｉと共に送信されてくる装置情報Ｐｄに基づいて特定する（図３のステップＳ１０６）。
【００３８】
その後、セキュリティサーバ１０２は、ステップＳ１０３と同様、ステップＳ１０６で装置管理データＤ１から読み出した属性情報Ｐｂが、規制装置１０１Ａに対応したもの（Ｐｂ＝０）であるのか、それとも行先階登録装置１０１Ｂに対応したもの（Ｐｂ＝１）であるのかを判断する（図３のステップＳ１０７）。
【００３９】
そして、セキュリティサーバ１０２は、ステップＳ１０７にて「規制装置１０１Ａに対応したもの（Ｐｂ＝０）である」と判断した場合には、ステップＳ１０６で装置管理データＤ１から読み出した装置アドレスＰａで特定される規制装置１０１Ａの動作を制御することにより、利用者の通過を規制（具体的には、禁止）する（図３のステップＳ１０８）。
【００４０】
一方、セキュリティサーバ１０２は、ステップＳ１０７にて「行先階登録装置１０１Ｂに対応したもの（Ｐｂ＝１）である」と判断した場合には、ステップＳ１０６で装置管理データＤ１から読み出した装置アドレスＰａに、行先階登録装置１０１Ｂでの利用者の操作を許可しない不許可信号を送信する（図３のステップＳ１０９）。
【００４１】
このような認証処理を行う処理部は、セキュリティサーバ１０２内に回路を構築することによってハードウェアで構成されてもよいし、セキュリティサーバ１０２が備えるＣＰＵ等の処理装置にプログラムを実行させることによってソフトウェアで構成されてもよい。そして、そのようなプログラムは、携帯可能な記憶装置（例えば、フラッシュメモリ等）に読取可能な状態で記憶されてもよいし、他のサーバなどにダウンロード可能に保存され、ダウンロードされたものがセキュリティサーバ１０２の記憶部（不図示）に記憶されてもよい。尚、認証処理の詳細については後述する。
【００４２】
＜中継装置＞
中継装置１０３は、セキュリティサーバ１０２から群管理制御装置１０５への情報の伝達を中継する装置である。具体的には、中継装置１０３は、セキュリティサーバ１０２から送信されてくる情報（管理情報Ｐｊ及び装置情報Ｐｄを含む）を受信した場合に、管理情報Ｐｊと、当該管理情報Ｐｊを対象とした呼び登録に必要な情報（本実施形態では、出発階など）と、を群管理制御装置１０５に送信する（中継処理。図１参照）。
【００４３】
より具体的には、中継装置１０３は、設置階管理データＤ３を有する。図５は、本実施形態で用いられる設置階管理データＤ３の一例を示した概念図である。設置階管理データＤ３では、装置情報Ｐｄごとに、装置管理データＤ１と同様に装置アドレスＰａ及び属性情報Ｐｂが対応付けられると共に、当該装置情報Ｐｄで識別される装置（規制装置１０１Ａ又は行先階登録装置１０１Ｂ）の設置階Ｆｓが更に対応付けられている。そして、中継装置１０３は、セキュリティサーバ１０２から受信した装置情報Ｐｄに対応する設置階Ｆｓを設置階管理データＤ３から読み出し、読み出した設置階Ｆｓを出発階として管理情報Ｐｊと共に群管理制御装置１０５に送信する。このとき本実施形態では、中継装置１０３は、当該装置情報Ｐｄに対応する属性情報Ｐｂも設置階管理データＤ３から読み出し、読み出した属性情報Ｐｂを管理情報Ｐｊ及び設置階Ｆｓと共に群管理制御装置１０５に送信する。
【００４４】
また、中継装置１０３は、セキュリティサーバ１０２から受信した装置情報Ｐｄに対応する装置アドレスＰａを設置階管理データＤ３から読み出し、読み出した装置アドレスＰａで特定される装置（規制装置１０１Ａ又は行先階登録装置１０１Ｂ。以下、「対象装置１０１Ｔ」と称す）に管理情報Ｐｊを送信することにより、当該管理情報Ｐｊを対象装置１０１Ｔに認識させる。これにより、後述するように呼び登録で割り当てられた乗りかご１００の情報（当該乗りかご１００を識別するための番号や記号などの情報。以下、「乗りかご情報Ｐｇ」と称す）が管理情報Ｐｊと共に群管理制御装置１０５からブロードキャストで配信されたときに、当該管理情報Ｐｊを手掛かりとして、対象装置１０１Ｔ（即ち、その乗りかご情報Ｐｇを表示すべき装置）にだけ乗りかご情報Ｐｇを取得させることが可能になる。
【００４５】
更に、対象装置１０１Ｔとして行先階登録装置１０１Ｂが中継装置１０３から管理情報Ｐｊを受信した場合、当該行先階登録装置１０１Ｂは、行先階の変更や利用人数の入力などの操作を可能にし、当該操作で入力された情報を、管理情報Ｐｊと共に群管理制御装置１０５に送信する。これにより、群管理制御装置１０５は、行先階登録装置１０１Ｂで入力された情報を呼び登録に反映させることが可能になる。
【００４６】
尚、装置アドレスＰａ及び属性情報Ｐｂは、セキュリティサーバ１０２にて装置管理データＤ１から読み出されたものが装置情報Ｐｄと共に中継装置１０３に送信されて、当該中継装置１０３にて用いられてもよい。この場合、設置階管理データＤ３では、装置情報Ｐｄのそれぞれに対する装置アドレスＰａ及び属性情報Ｐｂの対応付けが不要になる。
【００４７】
上述した中継処理を行うための処理部は、中継装置１０３内に回路を構築することによってハードウェアで構成されてもよいし、中継装置１０３が備えるＣＰＵ等の処理装置にプログラムを実行させることによってソフトウェアで構成されてもよい。そして、そのようなプログラムは、携帯可能な記憶装置（例えば、フラッシュメモリ等）に読取可能な状態で記憶されてもよいし、他のサーバなどにダウンロード可能に保存され、ダウンロードされたものが中継装置１０３の記憶部（不図示）に記憶されてもよい。尚、中継処理の詳細については後述する。
【００４８】
＜エレベータ制御装置＞
エレベータ制御装置１０４は、乗りかご１００のそれぞれに１つずつ対応させて設けられており、各エレベータ制御装置１０４は、これに対応する乗りかご１００の動作を制御する。そして、エレベータ制御装置１０４は、群管理制御装置１０５によって一元的に管理及び制御される。
【００４９】
＜群管理制御装置＞
群管理制御装置１０５は、中継装置１０３から管理情報Ｐｊを受信した場合に、当該管理情報Ｐｊを対象として呼び登録を行う。具体的には、群管理制御装置１０５は、呼び登録に必要な情報（管理情報Ｐｊに対応した行先階Ｆｄなどの情報）を１つの乗場呼びとして、その乗場呼びを、エレベータの輸送効率等を考慮して複数の乗りかご１００のどれか１つに割り当てる（呼び登録処理）。
【００５０】
本実施形態では、群管理制御装置１０５は、行先階管理データＤ４を有する。図６（Ａ）は、本実施形態で用いられる行先階管理データＤ４の一例を示した概念図である。行先階管理データＤ４では、管理情報Ｐｊごとに、当該管理情報Ｐｊに対応している利用者に許可する降車階として初期設定された行先階Ｆｄが対応付けられている。そして、群管理制御装置１０５は、中継装置１０３から受信した管理情報Ｐｊに対応する行先階Ｆｄを行先階管理データＤ４から読み出し、読み出した行先階Ｆｄと、管理情報Ｐｊと共に中継装置１０３から送信されてくる設置階Ｆｓ（出発階）及び属性情報Ｐｂと、を用いて、当該管理情報Ｐｊを対象とした呼び登録を行う。このように行先階Ｆｄの情報を群管理制御装置１０５に持たせることにより、中継装置１０３から群管理制御装置１０５へ送信するデータ量が少なくなり、処理速度の高速化を図ることが可能になる。
【００５１】
また、群管理制御装置１０５は、呼び登録で割り当てた乗りかご１００の情報（乗りかご情報Ｐｇ）を、呼び登録に関連した情報として、当該呼び登録の対象である管理情報Ｐｊと共にブロードキャストで配信する（図１参照）。
【００５２】
更に、群管理制御装置１０５は、履歴管理データＤ５を更に有する。図６（Ｂ）は、本実施形態で用いられる履歴管理データＤ５の一例を示した概念図である。履歴管理データＤ５には、呼び登録の実行ごとに当該呼び登録で用いられた情報が記録されていく。具体的には、群管理制御装置１０５は、呼び登録の対象にした管理情報Ｐｊと、当該呼び登録で用いた情報（設置階Ｆｓ（出発階）、行先階Ｆｄ、利用人数Ｎｒ）と、を互いに対応させて履歴管理データＤ５に記録する。これにより、群管理制御装置１０５は、利用者の乗場呼びごとに行う呼び登録の履歴を管理情報Ｐｊに紐付けて管理することが可能になる。
【００５３】
このような呼び登録処理を行うための処理部は、群管理制御装置１０５内に回路を構築することによってハードウェアで構成されてもよいし、群管理制御装置１０５が備えるＣＰＵ等の処理装置にプログラムを実行させることによってソフトウェアで構成されてもよい。そして、そのようなプログラムは、携帯可能な記憶装置（例えば、フラッシュメモリ等）に読取可能な状態で記憶されてもよいし、他のサーバなどにダウンロード可能に保存され、ダウンロードされたものが群管理制御装置１０５の記憶部（不図示）に記憶されてもよい。尚、呼び登録処理の詳細については後述する。
【００５４】
［２］制御システムで実行される制御処理
［２−１］中継装置で実行される中継処理
図７は、中継装置１０３で実行される中継処理を示したフローチャートである。中継処理は、中継装置１０３がセキュリティサーバ１０２から情報（管理情報Ｐｊ及び装置情報Ｐｄを含む）を受信した場合に開始される。中継処理が開始されると、中継装置１０３は、群管理制御装置１０５での呼び登録に必要な情報の１つである出発階として、セキュリティサーバ１０２から受信した装置情報Ｐｄに対応する設置階Ｆｓを設置階管理データＤ３から読み出す（図７のステップＳ１１）。このとき本実施形態では、中継装置１０３は、当該装置情報Ｐｄに対応する属性情報Ｐｂも設置階管理データＤ３から読み出す。
【００５５】
また、セキュリティサーバ１０２から受信した装置情報Ｐｄで識別される装置（規制装置１０１Ａ又は行先階登録装置１０１Ｂ）に管理情報Ｐｊを送信するために、中継装置１０３は、当該装置情報Ｐｄに対応する装置アドレスＰａを設置階管理データＤ３から読み出す（図７のステップＳ１１）。
【００５６】
その後、中継装置１０３は、ステップＳ１１で読み出した設置階Ｆｓを、セキュリティサーバ１０２から受信した管理情報Ｐｊ及び属性情報Ｐｂと共に群管理制御装置１０５に送信する（図７のステップＳ１２）。これにより、管理情報Ｐｊを対象とした呼び登録を群管理制御装置１０５に実行させることが可能になる。更には、呼び登録の履歴を管理情報Ｐｊに紐付けて群管理制御装置１０５に管理させることが可能になる。
【００５７】
また、中継装置１０３は、ステップＳ１１で読み出した装置アドレスＰａで特定される対象装置１０１Ｔ（規制装置１０１Ａ又は行先階登録装置１０１Ｂ）に管理情報Ｐｊを送信する（図７のステップＳ１３）。これにより、群管理制御装置１０５から乗りかご情報Ｐｇがブロードキャストで配信されたときに、管理情報Ｐｊを手掛かりとして、対象装置１０１Ｔにだけ乗りかご情報Ｐｇを取得させることが可能になる。更に、対象装置１０１Ｔが行先階登録装置１０１Ｂである場合には、管理情報Ｐｊをトリガとして、当該行先階登録装置１０１Ｂを、行先階の変更や利用人数の入力などの操作が可能な状態へ移行させることができる。
【００５８】
［２−２］行先階登録装置で実行される行先階登録処理
図８は、行先階登録装置１０１Ｂｑで実行される行先階登録処理を示したフローチャートである。行先階登録処理は、行先階登録装置１０１Ｂｑが、自身の読取装置１Ｂで読み取った識別情報Ｐｉを、当該行先階登録装置１０１Ｂｑの装置情報Ｐｄと共にセキュリティサーバ１０２に送信した場合に開始される。行先階登録処理が開始されると、行先階登録装置１０１Ｂｑは、セキュリティサーバ１０２から不許可信号を受信したか否かを判断する（図８のステップＳ２１）。
【００５９】
行先階登録装置１０１Ｂｑは、ステップＳ２１にて「受信した（Ｙｅｓ）」と判断した場合、利用人数Ｎｒの入力を利用者に許可することなく（本実施形態では、人数入力画面（図９参照）を表示装置２Ｂに表示することなく）、行先階登録処理を終了する。一方、行先階登録装置１０１Ｂｑは、ステップＳ２１にて「受信していない（Ｎｏ）」と判断した場合、中継装置１０３から管理情報Ｐｊを受信したか否かを判断する（図８のステップＳ２２）。そして、行先階登録装置１０１Ｂｑは、ステップＳ２１又はＳ２２で「受信した（Ｙｅｓ）」と判断できるまで、ステップＳ２１及びＳ２２を繰り返し実行する。
【００６０】
行先階登録装置１０１Ｂｑは、ステップＳ２２にて「受信した（Ｙｅｓ）」と判断した場合、受信した管理情報Ｐｊを自身の記憶部（不図示）に一旦記憶する（図８のステップＳ２２１）。また、行先階登録装置１０１Ｂｑは、利用者による利用人数Ｎｒの入力を可能にする（図８のステップＳ２２２）。具体的には、行先階登録装置１０１Ｂｑは、自身の表示装置２Ｂに、利用人数Ｎｒの入力が可能な画面（人数入力画面）を表示する。図９は、人数入力画面の一例を示した概念図である。図９の人数入力画面は、利用人数Ｎｒを入力するためのテンキーと、テンキーで入力した利用人数Ｎｒが表示される表示領域と、テンキーで入力した利用人数Ｎｒを確定するための確定ボタンと、を含んでいる。尚、図９に示されるように、人数入力画面には、管理情報Ｐｊや、利用人数Ｎｒの入力を取り消すための取消ボタンなどが更に表示されてもよい。また、人数入力画面は、利用人数Ｎｒをテンキーで入力するものに限らず、複数の選択肢から１つを利用者に選択させるものなどへ適宜変更されてもよい。更に、行先階登録装置１０１Ｂｑは、タッチパネル上で操作を行うものに限らず、表示装置２Ｂの画面を見ながら機械式のボタンで選択操作を行うものであってもよい。
【００６１】
次に、行先階登録装置１０１Ｂｑは、ステップＳ２２２（人数入力画面の表示）を実行した時点からの経過時間Ｔｍの計測を開始する（図８のステップＳ２２３）。その後、行先階登録装置１０１Ｂｑは、計測中の経過時間Ｔｍが所定時間Ｔ０を超えたか否かを判断する（図８のステップＳ２２４）。ここで、所定時間Ｔ０は、利用者に対して利用人数Ｎｒの入力を許可する時間を制限するために用いられる。
【００６２】
行先階登録装置１０１Ｂｑは、ステップＳ２２４にて「超えていない（Ｎｏ）」と判断した場合、利用人数Ｎｒが入力された否かを判断する（図８のステップＳ２２５）。具体的には、行先階登録装置１０１Ｂｑは、自身の表示装置２Ｂに表示した人数入力画面（図９参照）において利用人数Ｎｒが確定されたか否かを判断する。
【００６３】
行先階登録装置１０１Ｂｑは、ステップＳ２２５にて「入力された（Ｙｅｓ）」（確定された）と判断した場合、入力（確定）された利用人数Ｎｒを、ステップＳ２２１で記憶した管理情報Ｐｊと共に群管理制御装置１０５に送信する（図８のステップＳ２２６）。これにより、群管理制御装置１０５は、管理情報Ｐｊを対象とした呼び登録に、行先階登録装置１０１Ｂｑで入力された利用人数Ｎｒを反映させることが可能になる。
【００６４】
一方、行先階登録装置１０１Ｂｑは、ステップＳ２２５にて「入力されていない（Ｎｏ）」（確定されていない）と判断した場合には、ステップＳ２２４へ戻る。
【００６５】
そして、行先階登録装置１０１Ｂｑは、ステップＳ２２５にて「入力された（Ｙｅｓ）」と判断できずに、ステップＳ２２４にて「経過した（Ｙｅｓ）」と判断するに至った場合には、その判断を以て、利用者は利用人数Ｎｒを入力する意思がない、即ち、その利用者は１人でエレベータを利用しようとしている、と判断できる。そこで、行先階登録装置１０１Ｂｑは、利用人数Ｎｒを「１」に設定する（図８のステップＳ２２７）。その後、行先階登録装置１０１Ｂｑは、ステップＳ２２７で設定した利用人数Ｎｒを、ステップＳ２２１で記憶した管理情報Ｐｊと共に群管理制御装置１０５に送信する（図８のステップＳ２２６）。
【００６６】
行先階登録装置１０１Ｂｑは、ステップＳ２２６の実行後、群管理制御装置１０５から乗りかご情報Ｐｇを受信した否かを判断する（図８のステップＳ２３）。そして、行先階登録装置１０１Ｂｑは、ステップＳ２３にて「受信した（Ｙｅｓ）」と判断できるまで、ステップＳ２３を繰り返し実行する。
【００６７】
行先階登録装置１０１Ｂｑは、ステップＳ２３にて「受信した（Ｙｅｓ）」と判断した場合、受信した乗りかご情報Ｐｇと共に送信されてくる管理情報Ｐｊと同じ管理情報Ｐｊを自身が記憶しているか否かを更に判断する（図８のステップＳ２３１）。これにより、行先階登録装置１０１Ｂｑは、ブロードキャストで配信された乗りかご情報Ｐｇが、自身が利用者に通知すべきものであるか否かを、当該乗りかご情報Ｐｇと共に送信されてくる管理情報Ｐｊを手掛かりとして判断することが可能になる。
【００６８】
そこで、行先階登録装置１０１Ｂｑは、ステップＳ２３１にて「記憶している（Ｙｅｓ）」と判断した場合、受信した乗りかご情報Ｐｇを自身の表示装置２Ｂに表示する（図８のステップＳ２３２）。その後、行先階登録装置１０１Ｂｑは、自身の記憶部から管理情報Ｐｊを消去し（図８のステップＳ２３３）、それから行先階登録処理を終了する。一方、行先階登録装置１０１Ｂｑは、ステップＳ２３１にて「記憶していない（Ｎｏ）」と判断した場合、ステップＳ２３へ戻る。
【００６９】
［２−３］群管理制御装置で実行される呼び登録処理
図１０は、群管理制御装置１０５で実行される呼び登録処理を示したフローチャートである。呼び登録処理は、群管理制御装置１０５が中継装置１０３から情報（呼び登録に必要な情報。本実施形態では、管理情報Ｐｊ、設置階Ｆｓ（出発階）、及び属性情報Ｐｂ）を受信した場合に開始される。呼び登録処理が開始されると、群管理制御装置１０５は、中継装置１０３から受信した管理情報Ｐｊに対応する行先階Ｆｄを行先階管理データＤ４から読み出す（図１０のステップＳ３１）。これにより、群管理制御装置１０５は、呼び登録に必要な情報として不足していたものを取得する。
【００７０】
その後、群管理制御装置１０５は、中継装置１０３から受信した属性情報Ｐｂが、規制装置１０１Ａ又は行先階登録装置１０１Ｂのどちらの種類に対応した情報であるのかを判断する（図１０のステップＳ３２）。このように属性情報Ｐｂを利用することにより、群管理制御装置１０５は、管理情報Ｐｊを対象として呼び登録を行う際に、その管理情報Ｐｊに対応している識別情報Ｐｉを読み取った装置の種類（即ち、規制装置１０１Ａ又は行先階登録装置１０１Ｂのどちらの種類であるのか）を特定できる。
【００７１】
そして本実施形態では、規制装置１０１Ａからは利用人数Ｎｒの情報が送信されることがないので、群管理制御装置１０５は、ステップＳ３２にて「規制装置１０１Ａ」に対応していると判断した場合、その判断を以て、呼び登録の実行前に利用人数Ｎｒを受信する必要はないと判断できる。一方、行先階登録装置１０１Ｂからは利用人数Ｎｒの情報が送信されてくるため、群管理制御装置１０５は、ステップＳ３２にて「行先階登録装置１０１Ｂ」に対応していると判断した場合、その判断を以て、呼び登録の実行前に利用人数Ｎｒを受信する必要があると判断できる。
【００７２】
そこで、群管理制御装置１０５は、ステップＳ３２にて「規制装置１０１Ａに対応したもの（Ｐｂ＝０）である」と判断した場合、中継装置１０３から受信した管理情報Ｐｊを対象とした通常の呼び登録（即ち、１人分の呼び登録）を行う（図１０のステップＳ３３Ａ）。具体的には、群管理制御装置１０５は、設置階Ｆｓ（出発階）と行先階Ｆｄとを含んだ情報を１つの乗場呼びとして、その乗場呼びを、エレベータの輸送効率等を考慮して複数の乗りかご１００のどれか１つに割り当てる。このように、利用者による規制装置１０１Ａの通過が許可された場合には、即座に群管理制御装置１０５に呼び登録を実行させることができる。
【００７３】
ステップＳ３３Ａでの呼び登録の実行後、群管理制御装置１０５は、ステップＳ３３Ａで割り当てた乗りかご１００の乗りかご情報Ｐｇ（番号や記号など）を、呼び登録の対象である管理情報Ｐｊと共にブロードキャストで配信する（図１０のステップＳ３３Ｂ）。
【００７４】
一方、群管理制御装置１０５は、ステップＳ３２にて「行先階登録装置１０１Ｂに対応したもの（Ｐｂ＝１）である」と判断した場合、行先階登録装置１０１Ｂから利用人数Ｎｒを受信する前に、ステップＳ３１で読み出した行先階Ｆｄを、中継装置１０３から受信した管理情報Ｐｊ及び設置階Ｆｓと共に、それらを互いに対応させて自身の記憶部（不図示）に一旦記憶する（図１０のステップＳ３４）。
【００７５】
その後、群管理制御装置１０５は、行先階登録装置１０１Ｂｑから利用人数Ｎｒを受信したか否かを判断する（図１０のステップＳ３５）。そして、群管理制御装置１０５は、ステップＳ３５にて「受信した（Ｙｅｓ）」と判断できるまで、ステップＳ３５を繰り返し実行する。
【００７６】
群管理制御装置１０５は、ステップＳ３３にて「受信した（Ｙｅｓ）」と判断した場合、受信した利用人数Ｎｒと共に行先階登録装置１０１Ｂｑから送信されてくる管理情報Ｐｊと同じ管理情報Ｐｊを、それに対応する設置階Ｆｓ及び行先階Ｆｄと共に自身の記憶部から読み出す（図１０のステップＳ３６）。そして、群管理制御装置１０５は、行先階登録装置１０１Ｂｑから受信した利用人数Ｎｒと、ステップＳ３６で読み出した情報（管理情報Ｐｊ、設置階Ｆｓ、及び行先階Ｆｄ）と、を用いて呼び登録を行う（図１０のステップＳ３７Ａ）。即ち、群管理制御装置１０５は、中継装置１０３から受信した管理情報Ｐｊと同じ管理情報Ｐｊを行先階登録装置１０１Ｂｑからも受信した場合、その管理情報Ｐｊと共に行先階登録装置１０１Ｂｑから送信されてくる利用人数Ｎｒを用いて呼び登録を行う。
【００７７】
具体的には、群管理制御装置１０５は、設置階Ｆｓ（出発階）と行先階Ｆｄとを含んだ情報を１つの乗場呼びとして、その乗場呼びを、エレベータの輸送効率等を考慮して複数の乗りかご１００のどれか１つに割り当てる。このとき、群管理制御装置１０５は、更に利用人数Ｎｒを考慮して、乗りかご１００への乗場呼びの割当てを行う。具体的には、利用人数Ｎｒが複数であった場合（Ｎｒ＞１）、群管理制御装置１０５は、設置階Ｆｓ（出発階）及び行先階Ｆｄに加えて利用人数Ｎｒを更に含んだ情報を乗場呼びとして、その乗場呼びを複数の乗りかご１００のどれか１つに割り当てる。一例として、群管理制御装置１０５は、利用人数Ｎｒ分の利用者全てを収容できる乗りかご１００を複数の乗りかご１００から選択し、選択した乗りかご１００に、利用人数Ｎｒ分の乗場呼びを纏めて割り当てる。これにより、管理情報Ｐｊを対象とした呼び登録に、行先階登録装置１０１Ｂｑで入力された利用人数Ｎｒが反映される。
【００７８】
ステップＳ３７Ａでの呼び登録の実行後、群管理制御装置１０５は、ステップＳ３７Ａで割り当てた乗りかご１００の乗りかご情報Ｐｇ（番号や記号など）を、呼び登録の対象である管理情報Ｐｊと共にブロードキャストで配信する（図１０のステップＳ３７Ｂ）。
【００７９】
そして、群管理制御装置１０５は、ステップＳ３７Ａにて呼び登録の対象にした管理情報Ｐｊと、当該呼び登録で用いた情報（設置階Ｆｓ（出発階）、行先階Ｆｄ、利用人数Ｎｒ）と、を互いに対応させて履歴管理データＤ５に記録する（図１０のステップＳ３８）。これにより、群管理制御装置１０５は、利用者の乗場呼びごとに行う呼び登録の履歴を管理情報Ｐｊに紐付けて管理することが可能になる。
【００８０】
このように呼び登録の履歴を管理情報Ｐｊに紐付けて管理することにより、実際の利用人数よりも多い人数を行先階登録装置１０１Ｂｑで入力するといった悪意のある利用者の行為を抑制することができる。一例として、群管理制御装置１０５は、履歴管理データＤ５内において同じ管理情報Ｐｊに対して多数の利用人数Ｎｒが頻繁に記録されている場合には、その管理情報Ｐｊについての利用者の行為を悪意のある行為と判断して、当該管理情報Ｐｊを対象とした呼び登録を制限（例えば、一時的に禁止）できる。他の例として、群管理制御装置１０５は、履歴管理データＤ５に記録した利用人数Ｎｒを、当該利用人数Ｎｒを用いた呼び登録（図１０のステップＳ３７Ａ）で割り当てた乗りかご１００内の撮影画像から抽出できる実際の乗車人数と比較し、実際の乗車人数が利用人数Ｎｒよりも少なかった場合（例えば、明らかに少ないと判断できた場合）に、その利用人数Ｎｒに紐付けられている管理情報Ｐｊについての利用者の行為を悪意のある行為と判断して、当該管理情報Ｐｊを対象とした呼び登録を制限（例えば、一時的に禁止）してもよい。このように、本実施形態の制御システムによれば、エレベータにおいて利用者が行う乗場呼びを監視することが可能になる。
【００８１】
その後、群管理制御装置１０５は、ステップＳ３７Ａにて呼び登録の対象にした管理情報Ｐｊ及びそれに対応する情報（設置階Ｆｓ及び行先階Ｆｄを含む）を自身の記憶部から消去し（図１０のステップＳ３９）、それから呼び登録処理を終了する。
【００８２】
［３］変形例
［３−１］第１変形例
上述した制御システムにおいて、群管理制御装置１０５は、乗りかご情報Ｐｇをブロードキャストで配信することに代えて、送信先となる装置（規制装置１０１Ａ又は行先階登録装置１０１Ｂ）の装置情報Ｐｄ（又は装置アドレスＰａ）を中継装置１０３から取得し、当該装置情報Ｐｄに基づいて、当該装置情報Ｐｄで識別される装置に乗りかご情報Ｐｇを送信してもよい。
【００８３】
［３−２］第２変形例
上述した制御システムは、規制装置１０１Ａが設置されていないエレベータにも適用できる。この場合、群管理制御装置１０５は、管理情報Ｐｊを対象として呼び登録を行う際に、その管理情報Ｐｊに対応する識別情報Ｐｉを読み取った装置の種類（即ち、規制装置１０１Ａ又は行先階登録装置１０１Ｂのどちらの種類であるのか）を特定する必要がないため、群管理制御装置１０５にとって属性情報Ｐｂは不要である。よって、この場合には属性情報Ｐｂを中継装置１０３から群管理制御装置１０５に送信する必要がなく、従って、設置階管理データＤ３では装置情報Ｐｄごとに属性情報Ｐｂが対応付けられていなくてもよい。
【００８４】
［３−３］第３変形例
上述した制御システムは、規制装置１０１Ａ及びセキュリティサーバ１０２を含めずに構築されたものに限らず、これらの少なくとも何れか一方又はそれらの一部を含めて構築されたものであってもよい。
【００８５】
［３−４］第４変形例
上述した制御システムにおいて、中継装置１０３は、属性管理データＤ６を更に有していてもよい。図１１は、本変形例で用いられる属性管理データＤ６の一例を示した概念図である。属性管理データＤ６では、管理情報Ｐｊごとに、グループでのエレベータの利用が許可されているか否かを示す属性情報Ｐｃが対応付けられている。図１１では、属性情報Ｐｃとして、グループでのエレベータの利用が許可されているか否かを区別するために、それぞれに対応させて「０」と「１」とが用いられている。以下、本変形例で実行される中継処理、行先階登録処理、及び呼び登録処理について説明する。
【００８６】
図１２〜図１４はそれぞれ、本変形例で実行される中継処理、行先階登録処理、及び呼び登録処理を示したフローチャートである。本変形例の中継処理（図１２）では、中継装置１０３は、ステップＳ１１において更に、セキュリティサーバ１０２から受信した管理情報Ｐｊに対応する属性情報Ｐｃを属性管理データＤ６から読み出す。そして中継装置１０３は、ステップＳ１２において、設置階Ｆｓなどの情報と共に属性情報Ｐｃを群管理制御装置１０５に送信し、また、ステップＳ１３において、管理情報Ｐｊと共に属性情報Ｐｃを対象装置１０１Ｔに送信する。
【００８７】
このような構成によれば、次のような処理を行先階登録装置１０１Ｂｑ及び群管理制御装置１０５に実行させることが可能になる。即ち、行先階登録装置１０１Ｂｑには、属性情報Ｐｃが、グループでのエレベータの利用が許可されていることを示したもの（Ｐｃ＝１）である場合（具体的には、図１３のステップＳ２２０において「Ｐｃ＝１」と判断された場合）にだけ、人数入力画面（図９参照）を表示させることができる（図１３のステップＳ２２２）。また、群管理制御装置１０５には、属性情報Ｐｃが、グループでのエレベータの利用が許可されていることを示したもの（Ｐｃ＝１）である場合（具体的には、図１４のステップＳ３２０において「Ｐｃ＝１」と判断された場合）にだけ、行先階登録装置１０１Ｂｑで入力された利用人数Ｎｒを用いた呼び登録を実行させることができる（図１４のステップＳ３７Ａ）。
【００８８】
換言すれば、属性情報Ｐｃが、グループでのエレベータの利用が許可されていないことを示したもの（Ｐｃ＝０）である場合には、行先階登録装置１０１Ｂｑには人数入力画面を表示させず（行先階登録処理の終了）、また、群管理制御装置１０５には、即座に通常の呼び登録（１人分の呼び登録。図１４のステップＳ３３Ａ）を実行させることができる。
【００８９】
上述の実施形態の説明は、すべての点で例示であって、制限的なものではないと考えられるべきである。本発明の範囲は、上述の実施形態ではなく、特許請求の範囲によって示される。更に、本発明の範囲には、特許請求の範囲と均等の意味及び範囲内での全ての変更が含まれることが意図される。
【００９０】
なお、上述の実施形態の説明には、特許請求の範囲に記載された発明の他に、管理情報Ｐｊを用いてブロードキャストで乗りかご情報Ｐｇを配信するという点を抽出して特徴にした発明や、群管理制御装置１０５が行先階Ｆｄの情報（上述の実施形態では，行先階管理データＤ４）を有しているという点を抽出して特徴にした発明なども含まれている。
【符号の説明】
【００９１】
１Ａ、１Ｂ  読取装置
２Ａ、２Ｂ  表示装置
Ｈ  乗場
Ｑ  記録媒体
Ｄ１  装置管理データ
Ｄ２  媒体管理データ
Ｄ３  設置階管理データ
Ｄ４  行先階管理データ
Ｄ５  履歴管理データ
Ｄ６  属性管理データ
Ｆｄ  行先階
Ｆｓ  設置階
Ｎｒ  利用人数
Ｐａ  装置アドレス
Ｐｂ、Ｐｃ  属性情報
Ｐｄ  装置情報
Ｐｇ  乗りかご情報
Ｐｉ  識別情報
Ｐｊ  管理情報
Ｔ０  所定時間
Ｔｍ  経過時間
１００  乗りかご
１０１Ａ  規制装置
１０１Ｂ、１０１Ｂｐ、１０１Ｂｑ  行先階登録装置
１０１Ｔ  対象装置
１０２  セキュリティサーバ
１０３  中継装置
１０４  エレベータ制御装置
１０５  群管理制御装置
【図１】
2020158275.tif 000003
【図２】
2020158275.tif 000004
【図３】
2020158275.tif 000005
【図４】
2020158275.tif 000006
【図５】
2020158275.tif 000007
【図６】
2020158275.tif 000008
【図７】
2020158275.tif 000009
【図８】
2020158275.tif 000010
【図９】
2020158275.tif 000011
【図１０】
2020158275.tif 000012
【図１１】
2020158275.tif 000013
【図１２】
2020158275.tif 000014
【図１３】
2020158275.tif 000015
【図１４】
2020158275.tif 000016